(57)【特許請求の範囲】
【請求項１】
開閉扉を有する筺体の上端内面に備えられる固定部材に、回転部材が垂直方向回転自在に軸支されることにより構成される扉の垂れ下がり防止機構であって、
前記回転部材は、前記開閉扉の内面と当接する前扉当接部と、前記開閉扉の上端内面と当接して前記開閉扉を上方へ押圧する支持部と、前記筺体の上端内面と当接して前記回転部材の回転を制止する掣止部とを有し、
開扉時、前記回転部材は、前記前扉当接部が前記開閉扉の内面に当接しながら回転した後、前記掣止部が前記筺体の上端内面に当接することにより前記回転部材の回転を制止し、
閉扉時、前記前扉当接部が前記開閉扉の押圧を受けて前記回転部材が回転することで、前記支持部が前記開閉扉を上方に押圧して支持するようになした
ことを特徴とする扉の垂れ下がり防止機構。
【発明の詳細な説明】
【技術分野】
【０００１】
この発明は、開閉扉が備えられる筺体に備えられ、開閉扉の垂れ下がりを防止する機構に関する。
【背景技術】
【０００２】
開閉扉が備えられる筺体において、この開閉扉は蝶番等を用いて開閉され、開閉扉は蝶番または筺体で支持するようになっている。
【０００３】
このため、配電盤等を格納する筺体に使用される開閉扉では、開閉扉の自重や開閉扉に取り付けた機器の重さ等の蝶番及び筺体で支えきれない荷重がかかり、開閉扉側が変位してしまう現象（すなわち、扉の垂れ下がり）が生じる。
【０００４】
上記扉の垂れ下がりを防止するために、例えば、特許文献１に記載の支持金具は、開閉扉の上部内面に備えられたブラケットを、筺体の上部内面に備えられた支持ローラで支持することにより開閉扉を支持し、扉の垂れ下がりを防止している。
【０００５】
また、図４で示す支持金具１２は、開閉扉１０を有する筺体３の下部内面に備えられた支持板１３が、開閉扉１０の下部に備えられたブラケット１４を支持することで開閉扉１０を支持し、この開閉扉１０の垂れ下がりを防止している。この支持金具１２は、支持板１３に形成されたテーパ面１５とブラケット１４に形成されたテーパ面１６を利用して、支持板１３がブラケット１４を擦りあげ、開閉扉１０の垂れ下がりを防止している。そして、このブラケット１４は、開閉扉１０の塗装用に形成された吊下げ穴を利用して備えられる。
【先行技術文献】
【特許文献】
【０００６】
【特許文献１】特開平６−２４６４号公報
【発明の概要】
【発明が解決しようとする課題】
【０００７】
しかしながら、特許文献１の支持金具は、開閉扉及びこれに取り付けられた部品の重みによりブラケットに歪みが生じやすい片持ち構造であるため、ブラケットが変形した場合に扉の垂れ下がり防止効果を十分に得られない可能性があった。
【０００８】
また、図４で示した支持金具１２は、筺体３の下部に備えつけられているので、踏みつけられることで支持金具１２の支持板１３やブラケット１４が変形してしまう虞があった。また、この支持金具１２は、支持板１３及びブラケット１４のテーパ面１５、１６を利用した擦りあげ構造であるため、テーパ寸法を超えて開閉扉１０が垂れ下がっている場合には開閉扉１０を支えることが困難になる可能性や、開閉扉１０の質量が大きい場合に支持板１３とブラケット１４が擦れる際の摩擦が増大し、開閉扉１０のスムーズな開閉に支障が生じる可能性があった。
【課題を解決するための手段】
【０００９】
そこで、本発明の扉の垂れ下がり防止機構は、開閉扉を有する筺体の上端内面に備えられる固定部材に、回転部材が垂直方向回転自在に軸支されることにより構成される扉の垂れ下がり防止機構であって、前記回転部材は、前記開閉扉の内面と当接する前扉当接部と、前記開閉扉の上端内面と当接して前記開閉扉を上方へ押圧する支持部と、前記筺体の上端内面と当接して前記回転部材の回転を制止する掣止部とを有し、開扉時、前記回転部材は、前記前扉当接部が前記開閉扉の内面に当接しながら回転した後、前記掣止部が前記筺体の上端内面に当接することにより前記回転部材の回転を制止し、閉扉時、前記前扉当接部が前記開閉扉の押圧を受けて前記回転部材が回転することで、前記支持部が前記開閉扉を上方に押圧して支持するようになしたことを特徴としている。
【発明の効果】
【００１０】
したがって、以上の発明によれば、長期間に亘って、扉の垂れ下がりを防止することができる。
【図面の簡単な説明】
【００１１】
【図１】本発明の実施形態に係る扉の垂れ下がり防止機構が備えられた開閉扉を有する筺体の断面図（開閉扉が閉の状態）。
【図２】本発明の実施形態に係る扉の垂れ下がり防止機構が備えられた開閉扉を有する筺体の断面図（開閉扉が閉または閉になる途中の状態）。
【図３】本発明の実施形態に係る扉の垂れ下がり防止機構が備えられた開閉扉を有する筺体の断面図（開閉扉が開の状態）。
【図４】従来技術に係る扉の垂れ下がり防止機構が備えられた開閉扉を有する筺体の断面図（開閉扉が閉の状態）。
【発明を実施するための形態】
【００１２】
以下、本発明の実施形態について図面を参照しながら説明する。
【００１３】
図１〜図３は本発明に係る扉の垂れ下がり防止機構が備えられた開閉扉を有する筺体の実施例を示す断面図で、図１は開閉扉が閉の状態、図２は開閉扉が開または閉になる途中の状態、図３は開閉扉が開の状態を示している。
【００１４】
図１に示すように、本発明に係る扉の垂れ下がり防止機構１は、開閉扉１０を有する筺体３の上端内面の固定部９に固着される固定部材８と、この固定部材８に備えられた回転軸７に回転部材２が垂直方向回転自在に軸支されることにより構成される。回転部材２の形状としては、板状、柱状等が挙げられる。
【００１５】
回転部材２には、開閉扉１０が閉の時に開閉扉１０の内面と当接し開閉扉１０を上方へ押圧する支持部４と、開閉扉１０が閉の時に開閉扉１０の内面と当接する前扉当接部５と、開閉扉１０が開の時に固定部９の下面と当接して、回転部材２の回転を制止する掣止部６が形成されている。
【００１６】
掣止部６の形状は、掣止部６により回転部材２の回転が制止された時、前扉当接部５が回転軸７より上方に位置するように形成される。また、開閉扉１０の内面には回転部材２の支持部４と前扉当接部５が接する箇所に扉の傷を防止する扉傷防止部材１１を備えるとよい。
【００１７】
図１〜図３を参照しながら、扉の垂れ下がり防止機構１の動作例について説明する。
【００１８】
図１に示すように開閉扉１０が閉の場合、回転部材２の支持部４と前扉当接部５は、開閉扉１０に接した状態（図１では、支持部４と前扉当接部５は、扉傷防止部材１１に接しているが、説明の便宜上、開閉扉１０に接するとする。図２の場合も同様である。）である。回転部材２の寸法は、筺体３の外部上端と開閉扉１０の上端が同じ高さとなるように形成されている。したがって、開閉扉１０の上端の高さが筺体３の上端の高さと同じ位置（適正な位置）となるように開閉扉１０が保持されるので、良好な外観を得ることができる。
【００１９】
また、回転部材２の重心の位置が回転軸７と開閉扉１０の前面との間となるように回転部材２を取り付けることで、開閉扉１０が閉の状態の時も開閉扉１０が前扉当接部５の押圧を受けるようになる。したがって、開閉扉１０を開く時、開閉扉１０は開方向に押圧されるので、開閉扉１０を開く動作をスムーズに行うことができる。
【００２０】
開閉扉１０を開く時、図２に示すように、回転部材２は、その前扉当接部５が開閉扉１０と当接しながら矢印Ａの方向に回転する。そして、回転部材２の掣止部６が固定部９と当接することで、回転部材２の回転が制止される。
【００２１】
開閉扉１０が開の状態の時、図３に示すように、回転部材２は、その掣止部６が固定部９と当接することにより、回転部材２の回転が制止された状態で開閉扉１０の接触待機状態となっている。
【００２２】
そして、開閉扉１０を閉じる時、図２に示すように、回転部材２は、その前扉当接部５が開閉扉１０と当接しながら矢印Ｂの方向に回転する。すなわち、前扉当接部５が開閉扉１０の押圧を受けて回転部材２が矢印Ｂの方向に回転し、回転部材２が回転することで、回転部材２の支持部４が開閉扉１０の内面と当接して開閉扉１０を上方に押圧する。
【００２３】
なお、上記実施形態の説明において、扉の垂れ下がり防止機構１の回転部材２は、支持部４、前扉当接部５、掣止部６の機能を有すればよいので、図１に示された回転部材２の形状に限定されない。また、扉の垂れ下がり防止機構１の取付位置は特に限定されず、筺体３の上端内面であれば取り付けることができ、例えば、開閉扉１０の開き側で支えることが可能となる。さらに、必要に応じて、この扉の垂れ下がり防止機構１を１枚の開閉扉１０に対して複数個備えてもよい。
【００２４】
以上の説明のように、本発明に係る扉の垂れ下がり防止機構によれば、開閉扉が適正な位置に保持されるため、外観が良好になる。そして、開閉扉が閉の時に、輸送中の振動、衝撃をこの扉の垂れ下がり防止機構で吸収し、または長期の使用に亘って開閉扉の荷重をこの扉の垂れ下がり防止機構で支持することで、蝶番の永久歪みを防止することができる。
【００２５】
また、本発明に係る扉の垂れ下がり防止機構は、回転部材の可動寸法を調節することで開閉扉の垂れ下がり度合いに応じた設計変更を容易に行うことができる。さらに、扉の垂れ下がり防止機構そのものが歪みを生じにくい構造であるため、従来の片手持ち構造の扉の垂れ下がり防止金具と比較して、高い扉の垂れ下がり防止効果を得ることができる。
【００２６】
そして、この扉の垂れ下がり防止機構は、開閉扉が備えられる筺体の上端内面に備えられるため、踏みつけられることによる扉の垂れ下がり防止機構の変形の虞がない。また、開閉扉が閉の時も、扉の垂れ下がり防止機構が、開閉扉が開く方向にこの開閉扉を押圧する構造であるため、開閉扉の開閉をスムーズに行うことができる。
【符号の説明】
【００２７】
１…扉の垂れ下がり防止機構
２…回転部材
３…筺体
４…支持部
５…前扉当接部
６…掣止部
７…回転軸
８…固定部材
９…固定部
１０…開閉扉
１１…扉傷防止部材
【図１】
0005423386.tif 000002
【図２】
0005423386.tif 000003
【図３】
0005423386.tif 000004
【図４】
0005423386.tif 000005